(57)【要約】      （修正有）【課題】太陽電池モジュールの交換が必要或いは太陽電池モジュール表面の清掃が必要という事を遠隔地において掌握でき、更には太陽電池システムの設置に際してストリング監視箱或いは各太陽電池モジュール間が少ない本数のコントロール線で接続でき，太陽電池モジュール，ストリングの製造番号の確認作業が不要となる簡便な太陽電池モジュール監視システムを提供する。【解決手段】太陽電池モジュール３個々の発電電力を電圧，電流を測定する事によって求め其々の発電電力がＰｐｍａｘに対してどういった状態にあるか確認し，また場合によってはその状態が時間経過と共にどのように変化するかによって不良，要注意，良の判断を下し太陽電池システムの管理，維持に寄与する。【選択図】図２
2012138555.tif 000002
【特許請求の範囲】
【請求項１】
監視の対象となる複数の太陽電池モジュールに於いて所定の照度下で測定され，データベース化されている太陽電池モジュールの最大発電電力（Ｐｍａｘ）と任意の時間或いは指定された時間に測定された電圧及び電流によって得られる当該太陽電池モジュールの発電電力との比（Ａｎ）を求め，この比（Ａｎ）と監視の対象とする複数の太陽電池モジュールのＡｎの最大値（Ａｎｍａｘ）を求め更に，Ｂｎ＝Ａｎ／Ａｎｍａｘを予め設定した閾値Ｃと比較することにより個々の太陽電池モジュールの発電電力がどういった状態にあるかを判断することが可能な太陽電池モジュール監視システム。
【請求項２】
データ要求線ｐで順次接続され，固有のＩＤ番号を有する太陽電池モジュールに於いてデータ要求線ｐを順次アクティブにする事により得られるＩＤ番号によって識別される太陽電池モジュールが当該ストリング内の何番目に接続されているかを特定できる請求項１に記載の太陽電池モジュール監視システム。
【発明の詳細な説明】
【技術分野】
【０００１】本発明は太陽電池モジュール３監視システムに関するものである。
【背景技術】
【０００２】太陽電池による発電は一般的に屋根の上或いは広大な土地に多数の太陽電池モジュール３を並べて設置され，複数枚の太陽電池モジュール３で一つのストリング１が構成され，複数のストリング１で全体が構成される。こうした設置状況で，外的要因又は太陽電池モジュール３そのものの劣化等品質上の問題による発電量の低下への対処等，発電能力の維持管理は重要である。【０００３】しかしながら，問題となる太陽電池モジュール３個々の動作状況の把握が正確にできず，当該太陽電池モジュール３の表面の汚れの清掃又は木の葉などの除去或いは太陽電池モジュール３の交換といった警告や指示が的確にできない状況にある。
【先行技術文献】
【０００４】
【特許文献１】特開２００４−２６００１５号公報
【特許文献２】特開平０７−３３４７６７号公報
【発明の概要】
【発明が解決しようとする課題】
【０００５】一般的に図２に示す様に，ストリング１は複数の太陽電池セル２を直列に接続して構成される太陽電池モジュール３を複数個直列に接続して構成され，そして太陽電池発電システムは混合用ダイオード２０を介して複数個のストリング１を並列にインバータ１２に接続して構成される。【０００６】太陽電池モジュール３の出力低下は，太陽電池モジュール３そのものの故障，雲など自然現象による日照量低下，落葉や汚れの付着による太陽電池セル２へ到達する日照量の低下が代表的な要因であって，出力の復旧には其々対処すべき方法が違う。即ち，太陽電池モジュール３そのものの故障に対しては当該太陽電池モジュール３の交換，雲など自然現象による日照低下に対しては日照回復まで待つ，落葉や汚れの付着に対しては太陽電池モジュール３の清掃が主たる方法である。【０００７】従来は多数配置されている太陽電池モジュール３を目視等にて点検し，回復を図っているが，屋根など高所に設置されている場合や大規模な発電所などにおける巡回点検は危険を伴う作業の場合もあり周到な装備を要し，また巡回員には技術的知見が必要でありその人材確保は難しく費用も膨大になる。従って採算性を確保しながら適切に保守をする事は難しい状況にある。【０００８】従来はインバータ１２単位で発電状況を監視していたが，技術革新によってストリング１単位，または太陽電池モジュール３単位の監視ができる様になってきている。しかし明確で画一的な基準によるデータ判定方法はなく，技術者の知見によるデータの判断，または長期間に亙るデータの変化の傾向を判断するなどに留まっている。この方法は太陽電池モジュール３或いはインバータ１２の劣化対応としては有効な面があるが，日常発生する一時的な事象には有効でなく，発電量低下を短時間に積極的に解消できないのが実情である。【０００９】発電量低下の原因は大別して太陽電池モジュール３そのものの故障，雲など自然現象による日照量低下，落葉や汚れ付着による太陽電池セル２への到達日照量の低下が代表的な要因であって，その判定基準は単純でなく，実際は技術者の経験に頼るところが大きかった。【００１０】こうしたことから，図２のように構成された多くの太陽電池モジュール３個々を遠隔地より常時監視し，発電量低下の原因を特定し，最適な保守が出来る簡便な監視システムが望まれている。【００１１】そこで太陽電池モジュール３個々の発電状況を把握し，様々な要因により正常に発電していない太陽電池モジュール３を特定する方法を開示するものである。即ち太陽電池モジュール３そのものの異常又は木の葉等の遮蔽物，太陽電池モジュール３表面の汚れによる発電電力の低下を曇り，日陰等による一時的な発電電力の低下と区別してどの太陽電池モジュール３の交換が必要或いは太陽電池モジュール３表面の清掃が必要という事を遠隔地において掌握できる方法を提案する。加えて，太陽電池システムの設置に際してはストリング監視箱８或いは各太陽電池モジュール３間が少ない本数のコントロール線で接続でき，太陽電池モジュール３，ストリング１及びストリング監視箱８の製造番号の確認作業が不要となる簡便な太陽電池モジュール３監視システムを提案する。
【課題を解決するための手段】
【００１２】太陽電池モジュール３の生産工場では，個々の太陽電池モジュール３に対し定格日照下における最大発電電力（Ｐｍａｘ）を検査する。この値は当該太陽電池モジュール３固有の実力値であり，個々にその値は異なる。この値は検査データとして当該太陽電池モジュール３の製造番号と共に保管管理される。この製造番号又は製造番号と１対１の関係を保つ別の番号をＩＤ番号として定め，ＩＤ番号をキーとする最大発電電力（Ｐｍａｘ）のデータベース３２を作成する。同時にこのＩＤ番号はＣＰＵｐ９の不揮発性記憶装置に記録される。【００１３】複数個の太陽電池セル２及びＣＰＵｐ９及び電圧測定手段４で構成されるストリング監視箱８に近い所に位置する太陽電池モジュール３のＣＰＵｐ９とストリング監視箱８のＣＰＵｂ１０を図２に示すようにデータ要求線ｐ７及びデータ通信線ｐ６で接続する。該ＣＰＵｐ９の出力であるデータ要求線ｐ７及びデータ通信線ｐ６は隣に位置する太陽電池モジュール３のＣＰＵｐ９と同様に接続される。以下同様にストリング１に属する全ての太陽電池モジュール３に配されているＣＰＵｐ９を接続する。尚最終の太陽電池モジュール３に配されているＣＰＵｐ９のデータ要求線ｐ７の出力は接続しないでおく。即ち，ストリング監視箱８及びストリング監視箱８に近い位置の太陽電池モジュール３から遠い位置に在る太陽電池モジュール３は，順次直列にデータ要求線ｐ７で接続され，又データ通信線ｐ６は各太陽電池モジュール３のＣＰＵｐ９の通信用端子に接続されている。【００１４】ストリング監視箱８のデータ通信線ｐ７をアクティブにすると，これを受けたＣＰＵｐ９は電圧測定手段４によって測定されたデータをＣＰＵｐ９に予め書き込まれているＩＤ番号と共にデータ通信線ｐ６を通じてＣＰＵｂ１０へ送信し，ＣＰＵｂ１０はこれを記録する。送信が終わると次に接続されている太陽電池モジュール３のＣＰＵｐ９へのデータ要求線ｐ７をアクティブにする。この一連の動作を順次繰り返し行うことでＣＰＵｂ１０はストリング１に属する全てのＣＰＵｐ９のＩＤ番号及び上記データを記録することができる。ＣＰＵｂ１０は，最終段にある太陽電池モジュール３のデータを受信した後は一定の時間以上データを受信することが無く，タイムアウトで一連の通信を終了する。ＣＰＵｂ１０は予め通信対象となるＣＰＵｐ９の台数を知る必要が無い。尚一つのストリング１を構成する太陽電池モジュール３が数１０個程度であれば，この一連に要する時間は数ｍＳであり、この時間内に当該太陽電池ユニット３への日照量が変化する可能性は極めて少ない。【００１５】又ストリング監視箱８に於いては，電流測定手段５により流入電流が測定される。その結果ＣＰＵｂ１０には表１に示すデータが蓄積される。尚発電電力は電圧値と電流値の積として求められる。【００１６】ＣＰＵｂ１０はこの表１を，通信回線を通じて制御箱１１を経由してセンター３１へ送信し，センター３１はＩＤ番号をキーとする発電電力及び太陽電池モジュール３並び順データベース３３を作成する。【００１７】かくしてセンター３１には，各太陽電池モジュール３のＩＤ番号，並び順，発電電力（Ｐａｃｔ），定格日照下の最大発電電力（Ｐｍａｘ）が，データベース３２及び３３として揃う。なお，ＣＰＵｂ１０から電圧及び電流データを得る場合はセンター３１において発電電力（Ｐａｃｔ）を計算し，データベース３３に格納する。【００１８】センター３１は，対象となる全ての太陽電池モジュール３のＡｎ＝Ｐａｃｔ／Ｐｍａｘを計算で求める。Ａｎは，当該太陽電池モジュール３が最大発電電力（Ｐｍａｘ）の何％の発電をしているかを示す値であり，例えば，屋根の隅用として使われる三角形をした太陽電池モジュール３の様に，太陽電池モジュール３を構成する太陽電池セル２の枚数が違う太陽電池モジュール３を含むシステムにおいてもＡｎは同一基準の値として取り扱うことができる。日照量が規格より大きい場合はＡｎが１を上回る事もある。全ての太陽電池モジュール３に均等に日照があり且つ表面汚れや故障など発電量を低下させる要因が無ければ全ての太陽電池モジュール３のＡｎ値はほぼ同じであり，何らかの要因があればＡｎの値に差が現れる。【００１９】次にストリング１に属する全てのＡｎを検索し，最高値のＡｎ（Ａｎｍａｘ）を探しだし，ストリング１に属する全ての太陽電池モジュール３のＢｎ＝Ａｎ／Ａｎｍａｘを計算する。Ａｎ（Ａｎｍａｘ）が最も高い太陽電池モジュール３のＢｎの値は１であり，そのストリング１において最も有効な発電をしている太陽電池モジュール３である。従ってＢｎは，太陽電池モジュール３の配置場所による雲による日照量の低下や，表面汚れによる発電量の低下，または故障による発電量の低下などの度合いを，同一基準の値として示す事の出来る値として評価が可能な値として扱う事ができる。尚上記の通り一連の計算に必要なデータは全てセンター３１のデータベース３２及び３３に格納されている。【００２０】通常ストリング１は日照条件が同じ場所に設置されるから、即ち，Ｂｎは太陽電池モジュール３の発電能力のばらつき，規格の違いによる発電量の違い，ストリング単位での設置場所の違いに伴う日照量の違いなどの要素を除いた値であり，その値は一元的に評価することが可能になる。【００２１】Ｂｎに対する閾値を予め定めておくことで，センター３１ではＢｎを計算し閾値と比較する事で当該太陽電池モジュール３の，その時の発電状態を把握し判断することができる。【００２２】Ｂｎが異常に小さい太陽電池モジュール３は，何らかの原因で充分な発電をしていない。この原因は，太陽電池モジュール３の故障など，又は当該太陽電池モジュール３に雲が掛かっているなどの自然現象によるもの，又は当該太陽電池モジュール３の表面に埃や落葉などの光遮蔽物が付着している等一時的なもの，の何れかである。【００２３】Ｂｎが基準以上に小さい太陽電池モジュール３のＩＤ番号が解るから，センター３１はデータベース３３を参照することで当該太陽電池モジュール３がストリング監視箱８から何番目にあるかの情報を得ることができる。従ってセンター３１は現場又は現場管理事務所などに置かれているパソコン等の端末３０に向け，何番目の太陽電池モジュール３を確認せよといった指令を自動的に出すことができる。指令を受けた現場の担当者は，指示のあった太陽電池モジュール３の表面を清掃する。センター３１は清掃後適宜時間を置いて再度太陽電池モジュール３の発電状態を調査すべく調査箱を通じてデータ要求線ｂ１４をアクティブにする。その結果，当該太陽電池モジュール３のＢｎ値が１に近づいておれば，又は１になれば，当該太陽電池モジュール３は汚れにより発電量が低下していたと判断できる。Ｂｎ値が相変わらず悪ければ，まだ発電状態が改善されておらずＢｎｍａｘの太陽電池モジュール３のところより雲が多い状態が続いているか，又は故障しているかの何れかである。当該太陽電池モジュール３に対し，一部に雲が掛かっているのが解消されるであろう適切な時間を置いて，例えば半時間ほどの間隔を置いて，再度Ｂｎを求める。当該の１枚の太陽電池モジュール３だけが半時間もして雲が掛かっている確率は殆ど無いと言ってよく，従って雲によるＢｎ低下は適当な時間を置けば解消する。立ち木による影の場合においても同様である。適当な時間を置いてもＢｎが改善されないときは，当該太陽電池モジュール３は故障している可能性が高い。念のため，適切な回数だけ適切な時間間隔をおいてＢｎを算出し，連続して改善しないときは故障として，当該太陽電池モジュール３を交換する指示をだす。【００２４】以上動作の説明は制御箱１０の下に一つのストリング１が配置された場合について説明した。以下に複数のストリング１及びストリング監視箱８が図１のように配置された場合について説明する。【００２５】制御箱１０の出力，データ要求線ｂ１４がアクティブになるとこれを受けたストリング監視箱８は配下にある複数のストリング１に対してデータ要求線ｐ７をアクティブにする。この事により一連の上記動作が実行されストリング監視箱８には各ストリング１の電圧及び電流値が蓄積される。この蓄積されたデータはデータ通信線ｂ１３を通じて制御箱１０，次いでセンター３１へ送られる。【００２６】データ送信を終えたストリング監視箱８は次のストリング監視箱８に対しデータ要求線ｂ１４をアクティブにする。このデータ要求線ｂ３１４を受けたストリング監視箱８は同様にデータ要求線ｐ７をアクティブにし，同様の動作によって配下にある複数のストリング１の電圧そして電流値を得る。そしてこのデータはデータ通信線ｂ１３を通じて制御箱１０，次いでセンター３１へ送られる。順次この動作をストリング監視箱８，太陽電池モジュール３に対して繰り返す事によって全の太陽電池モジュール３の発電電力（Ｐａｃｔ）を得る事ができ表２が得られる。即ちストリング監視箱８が並んでいる順とその配下の太陽電池モジュール３の並び順が得られるのでその結果複数のストリング１に跨って各太陽電池モジュール３のＢｎが得られる事になるので図２に示すようなシステム全の太陽電池モジュール３の評価が可能となる。【００２７】尚上記説明は各ストリング監視箱８が各モジュール１のデータをセンター３１へ送出した後に次のストリング監視箱８に対するデータ要求線ｂ１４をアクティブにするとしたが，大きなシステムの場合時間がかかるようであれば，データ要求線ｂ１４がアクティブである時間を短くする或いは長くする事により単なるデータの測定の要求命令として順次，次のストリング監視箱８へ伝達し，これを受けた各ストリング監視箱８は配下のストリング１の電圧及び電流を測定する。
そして所定の時間の経過後に再びデータ要求線ｂ１４のアクティブである時間を今度は長く或いは短くする事により各ストリング監視箱８に蓄えられているデータをセンター３１へ順次送出する事も可能である。この事は測定の同時性を確保する上で有効である。
【発明の効果】
【００２８】本発明は次のような効果を奏する。請求項１に記載されている発明は太陽電池モジュール３の発電電力は設置されている環境によって変化するが，たとえ環境の変化があっても評価の対象となる他の太陽電池モジュール３も同じようにこの変化に影響されることになるので他の太陽電池モジュール３の発電状況と比較して評価が可能となる。請求項２に記載されている発明はデータ要求線ｐ７を順次アクティブにする事により各太陽電池モジュール３から送信されるＩＤ番号によって識別される太陽電池モジュール３がどのような順で接続されているかを知る事ができる。
【図面の簡単な説明】
【００２９】
【図１】太陽電池発電設備の構成図
【図２】太陽電池モジュール，ストリング及びインバータの構成図
【表１】
インバータに蓄積される情報
【表２】
センターに蓄積される情報
【発明を実施するための形態】
【００３０】
【実施例】
【００３１】太陽電池セル２を複数個用いて構成された太陽電池モジュール３，そして太陽電池モジュール３を複数台直列接続して構成されたストリング１の太陽光発電システムについて説明する。【００３２】太陽電池モジュール３は図２に示すように直列に接続された複数の太陽電池セル２及びＣＰＵｐ９及び電圧検知手段４を有している。ＣＰＵｐ９は電圧測定手段４がデータ要求線ｐ７に基づき測定した出力電圧を電圧値と共に不揮発性記憶装置に書き込まれているＩＤ番号を必要に応じてインバータ１２に送出する為の通信機能を有している。【００３３】図２に示すストリング監視箱８は制御箱１０からのデータ要求線ｂ１４或いは前段に配されているストリング監視箱８からのデータ要求線ｂ１４がアクティブになると配下の太陽電池モジュール３に対してデータ要求線ｐ７をアクティブにして各太陽電池モジュール３に順次電圧の測定を要求する機能及び各太陽電池モジュール３が測定した電圧値とＩＤ番号を受信する機能を有している。【００３４】加えてストリング１の出力電流を測定する電流測定手段５を有している。更に上記各太陽電池モジュール３のＩＤ番号，電圧及びストリング１の出力電流値を蓄積し，制御箱１０と通信する機能を有している。又これらデータは制御箱１０からセンター３１へ送信する事ができる。【００３５】以上太陽光発電システムの構成及び監視機能の説明をしたが以下に太陽電池モジュール３の交換或いは太陽電池モジュール３表面の清掃が必要という事等を遠隔地において掌握できる方法について説明する。【００３６】ＩＤ番号は太陽電池モジュール３夫々に付与される太陽電池モジュール３固有の番号である。番号は予め各太陽電池モジュール３のＣＰＵｐ９に，生産時に書き込まれている。生産時，所定の光量を照射し測定された最大の発電電力（Ｐｍａｘ．）は，生産検査工程からＩＤ番号と共にセンター３１へ送付され，センター３１にて検査データベースを成す。【００３７】全ての太陽電池モジュール３の設置及び結線が完了してから，ストリング監視箱８のデータ要求線ｐ７をアクティブにすると，これを受けたＣＰＵｐ９は電圧測定手段４によって測定されたデータをＣＰＵｐ９に予め書き込まれているＩＤ番号と共にデータ通信線ｐ６を通じてＣＰＵｂ１０へ送信する。そして送信されたデータはＣＰＵｂ１０に取り込まれる。送信が終わると次に接続されている太陽電池モジュール３のＣＰＵｐ９へ接続されているデータ要求線ｐ７をアクティブにする。この一連の動作を順次繰り返し行うことでＣＰＵｂ１０はストリング１に属する全ての太陽電池モジュール３の電圧値及びＣＰＵｐ９に書き込まれているＩＤ番号を得ることができる。又最終段に接続されている太陽電池モジュール３のデータを受信した後は所定の時間以上データを受信することが無い為，タイムアウトとなり一連の通信を終了する。この事はＣＰＵｂ１０は予め測定の対象となるＣＰＵｐ９の数（太陽電池モジュール３の数）を知る必要が無い事を意味する。なおストリング１に属する太陽電池モジュール３の台数が数１０台程度であれば，この一連に要する時間は数ｍＳであり、この時間内に当該太陽電池ユニット３への日照量が変化する可能性は極めて少ない。【００３８】即ちこの事は太陽光発電システムの構築，施工に際し，煩雑な太陽電池モジュール３のＩＤ番号を管理しながら設置する必要が無い事につながる。従い施工に際しては単にストリング監視箱８と各太陽電池モジュール３間を順番にデータ要求線ｐ７及びデータ通信線ｐ６で接続すれば良い事になる。【００３９】ストリング監視箱８からのデータ要求線ｐ７がアクティブになると，接続されている太陽電池モジュール３のＣＰＵｐ９が要求のあった事を判断し，電圧測定をする。そして測定した電圧値をデータ通信線ｐ６を通じて太限電池モジュール３のＩＤ番号と共にＣＰＵｂ１０に送る。【００４０】又ＣＰＵｂ１０はストリング１の出力電流を測定するので，各太陽電池モジュール３個々の発電電力の算出が可能となる。そして各太陽電池モジュール３のＩＤ番号に対応した発電電力データが一時蓄積される。【００４１】上述のように太陽電池モジュール３にはＩＤ番号が付されている。又このＩＤ番号と所定の照度の下で測定された最大発電電力（Ｐｍａｘ．）は所謂データベースとしてセンター３１に記録されている。データ要求線ｂ１４をアクティブにすると，これを受けたストリング監視箱８はデータ要求線ｐ７をアクティブにする。そして測定された各太陽電池モジュール３の電圧値はＩＤ番号と共にデータ通信線ｐ６を通じてストリング監視箱８に送られる。そして太陽電池モジュール３のＩＤ番号，電圧値及びストリング１の出力の電流値は制御箱１０を通じてセンター３１へ送られる。【００４２】この事はストリング監視箱８，太陽電池モジュール３がデータ要求線ｂ１４，データ要求線ｐ７によって順に繋がっていることから何番目のストリング監視箱８の何番目に配置されているＩＤ番号が何番の太陽電池モジュール３の発電電力の値がセンター３１に記録される事を意味する。【００４３】太陽電池の発電電力が定格値に至らない要因は種々あるが，大別すると，故障による低下，雲などの自然現象による減少，落葉付着や表面汚れによる一時的な減少である。故障は，バスバー上に施された配線の断線，バスバーと配線の半田劣化，セル割れなどが該当する。これらは一度発生すると修理しない限り元には戻らないパーマネントエラーである。自然現象による低下は，１台の太陽電池モジュール３だけに発生する可能性は極めて低く，よしんばそれが発生したとしても一定時間が経過すれば解消する。太陽電池モジュール３の設置場所が適切でなく木立の影が掛かる場合においても，一定時間が経過すれば当該太陽電池モジュール３の日照は復旧する。一時的な事由による低下は，その原因を取り除くまで継続するが，取り除けば復旧する。【００４４】太陽光の照度が低い朝方，夕刻では発電電力は低くなる。又木の葉などが太陽電池モジュール３に載ると影ができるので発電電力は下がるが，風によって飛んでいけばその影響は無くなってしまう。等太陽電池モジュール３の発電電力は様々な影響を受ける。測定条件が常に変化するなかで各太陽電池モジュール３の測定された発電電力をどのように評価するか其の方法について以下に説明する。【００４５】斯様にしてセンター３１は，対象となる全ての太陽電池モジュール３のＩＤ番号，検査時に測定したＰｍａｘ，現時点の発電量Ｐａｃｔを得る。また予めＢｎの値と比較する閾値を必要に応じ１個から数個の範囲で決めておく。ここでは簡単のため閾値Ｃを１個として説明するが複数個決めても何ら差し支えはない。閾値Ｃは，１＞Ｃ＞０の値であり，仮にＣ＝０．５とする。この値は閾値の意味を決め，その実際の値は経験的に決めるのが望ましい。０．５とは，ストリング１内の最高の発電効率を為している太陽電池モジュール３の半分の発電効率に留まる，事を示している。即ち，Ｂｎ＜Ｃは，最高の発電効率を為している太陽電池モジュール３の半分以下の発電効率である事意味し，Ｂｎ＞Ｃは，最高の発電効率を為している太陽電池モジュール３の半分の発電効率以上である事を示す。【００４６】Ａｎ＝Ｐａｃｔ／Ｐｍａｘを計算で求める。Ａｎは，当該太陽電池モジュール３が実力の何％の発電をしていたかを示す値であり，規格が違う太陽電池モジュール３を含むシステムにおいてもＡｎは同一基準の値として取り扱うことができる。日照量が規格より大きい場合はＡｎが１を上回る事もある。全ての太陽電池モジュール３に均等に日照があり且つ表面汚れや故障など発電量を低下させる要因が無ければ全ての太陽電池モジュール３のＡｎ値はほぼ同じであり，何らかの要因があればＡｎ値に差が現れる。【００４７】次に，ストリング１に属する全てのＡｎを調査し，最高値のＡｎ（Ａｎｍａｘ）を探しだし，ストリング１に属する全ての太陽電池モジュール３のＢｎ＝Ａｎ／Ａｎｍａｘを計算する。最高値のＡｎ（Ａｎｍａｘ）の太陽電池モジュール３はＢｎ＝１であり，そのストリング１において最も有効な発電をしている太陽電池モジュール３である。従ってＢｎは，太陽電池モジュール３の配置場所による雲による日照量の低下や，表面汚れによる発電量の低下，または故障による発電量の低下などの度合いを示す事になる。【００４８】即ち，Ｂｎは太陽電池モジュール３の能力のばらつき，規格違いによる発電量の違い，設置場所の違いによる違い，などの要素を除去した値であり，その値は一元的に扱うことができる。【００４９】ストリング１内で最高の発電効率を為している太陽電池モジュール３の半分だけの発電効率の太陽電池モジュール３を異常と判定する場合は，閾値を０．５と定めると，上記の計算より得られたＢｎが０．５以下である太陽電池モジュール３は何らかの原因で発電異常を来たしており，センター３１は設置現場へ当該ＩＤ番号を有する太陽電池モジュール３の表面清掃を促す。【００５０】上記は同一ストリング１内の太陽電池モジュール３についての評価を示したが，これを同一制御箱１０に接続されるストリング１ひいては太陽電池モジュール３に拡張して評価する事も可能である。又定期的に一部の太陽電池モジュール３の表面を清掃する事によってシステムを構成するモジュール表面の汚れによる発電電力の低下を検出し警告する事も容易になる。
【符号の説明】
【００４８】１    ストリング
２    太陽電池セル
３    太陽電池モジュール
４    電圧測定手段
５    電流測定手段
６    データ通信線ｐ
７    データ通信線ｐ
８    ストリング監視箱
９    ＣＰＵｐ
１０  ＣＰＵｂ
１１  制御箱
１２  インバータ
１３  データ通信線ｂ
１４  データ通信線ｂ
２０  混合用ダイオード
３０  端末
３１  センター
３２  最大発電電力（Ｐｍａｘ）のデータベース
３３  太陽電池モジュール３並び順データベース
【図１】
2012138555.tif 000003
【図２】
2012138555.tif 000004
2012138555.tif 000005
2012138555.tif 000006
【手続補正書】
【提出日】平成23年3月22日(2011.3.22)
【手続補正１】
【補正対象書類名】図面
【補正対象項目名】全図
【補正方法】変更
【補正の内容】
【図１】
2012138555.tif 000007
【図２】
2012138555.tif 000008
【図３】
2012138555.tif 000009
【図４】
2012138555.tif 000010
【手続補正２】
【補正対象書類名】明細書
【補正対象項目名】００２９
【補正方法】変更
【補正の内容】
【００２９】
【図１】太陽電池発電設備の構成図
【図２】太陽電池モジュール，ストリング及びインバータの構成図
【図３】インバータに蓄積される情報
【図４】センターに蓄積される情報
【手続補正３】
【補正対象書類名】明細書
【補正対象項目名】００１５
【補正方法】変更
【補正の内容】
【００１５】又ストリング監視箱８に於いては，電流測定手段５により流入電流が測定される。その結果ＣＰＵｂ１０には図３に示すデータが蓄積される。尚発電電力は電圧値と電流値の積として求められる。
【手続補正４】
【補正対象書類名】明細書
【補正対象項目名】００１６
【補正方法】変更
【補正の内容】
【００１６】ＣＰＵｂ１０はこの図３に示すデータを，通信回線を通じて制御箱１１を経由してセンター３１へ送信し，センター３１はＩＤ番号をキーとする発電電力及び太陽電池モジュール３並び順データベース３３を作成する。
【手続補正５】
【補正対象書類名】明細書
【補正対象項目名】００２６
【補正方法】変更
【補正の内容】
【００２６】データ送信を終えたストリング監視箱８は次のストリング監視箱８に対しデータ要求線ｂ１４をアクティブにする。このデータ要求線ｂ３１４を受けたストリング監視箱８は同様にデータ要求線ｐ７をアクティブにし，同様の動作によって配下にある複数のストリング１の電圧そして電流値を得る。そしてこのデータはデータ通信線ｂ１３を通じて制御箱１０，次いでセンター３１へ送られる。順次この動作をストリング監視箱８，太陽電池モジュール３に対して繰り返す事によって全の太陽電池モジュール３の発電電力（Ｐａｃｔ）を得る事ができ図４が得られる。即ちストリング監視箱８が並んでいる順とその配下の太陽電池モジュール３の並び順が得られるのでその結果複数のストリング１に跨って各太陽電池モジュール３のＢｎが得られる事になるので図２に示すようなシステム全の太陽電池モジュール３の評価が可能となる。